(57)【特許請求の範囲】
【請求項１】
通信ネットワークにおいてオーバーヘッドメッセージを格納するための通信デバイスによって実行される方法であって、
通信デバイスがアイドルハンドオフを実行するかアイドルハンドオフを実行していないかを決定すること、
その決定に基づいて第１のタイマあるいは第２のタイマを始動することであって、各タイマは異なる継続時間を有する、始動すること、
少なくとも２つのキャッシュのうちの１つにオーバーヘッド情報を格納すること、
および第１のタイマあるいは第２のタイマの終了時に少なくとも１つのキャッシュにおいて保存されたオーバーヘッド情報の少なくとも１つの部分集合を廃棄することであって、前記第１のタイマは前記第２のタイマより短い継続期間を持つ、廃棄すること
を備える方法。
【請求項２】
通信デバイスは動作中である場合にアイドルハンドオフを実行しており、通信デバイスが静止しているあるいはセクタの有効範囲とともに移動している場合にアイドルハンドオフを実行しない請求項１の方法。
【請求項３】
アイドルハンドオフが実行されている場合には第１のキャッシュを、アイドルハンドオフが実行されない場合には、第２のキャッシュを選択することを備え、第１のキャッシュは第１のタイマと関係し、第２のキャッシュは第２のタイマと関係する請求項１の方法。
【請求項４】
通信デバイスがアクティブ状態に入ったことを検知すること、
および１つのキャッシュにおいて保存されたオーバーヘッド情報を除去すること
備える請求項１の方法。
【請求項５】
通信デバイスがアイドルハンドオフを実行するかアイドルハンドオフを実行しないかを決定することは、
クィックコンフィグ（ＱｕｉｃｋＣｏｎｆｉｇ）メッセージにおけるセクタシグニチャ（ＳｅｃｔｏｒＳｉｇｎａｔｕｒｅ）フィールドの値が、クィックコンフィグ（ＱｕｉｃｋＣｏｎｆｉｇ）メッセージが受信されるセクタと関係するセクタシグニチャ（ＳｅｃｔｏｒＳｉｇｎａｔｕｒｅ）に対する最後に受信された値とは異なると確認すること、
および、デバイスがアイドルハンドオフを実行していないことを決定すること
を備える請求項１の方法。
【請求項６】
通信デバイスがアイドルハンドオフを実行しないことからアイドルハンドオフを実行することに切り替わったことを検知すること、
および通信デバイスが、アイドルモードにある場合、第２のタイマから第１のタイマに自動的に切り換えること
を備える請求項１の方法。
【請求項７】
通信デバイスはアイドルハンドオフを実行することからアイドルハンドオフを実行することに切り替わったことを検知すること、
および通信デバイスが、アイドルモードにある場合、第１のタイマから第２のタイマへ自動的に切り換えること
を含む請求項１の方法。
【請求項８】
通信ネットワークは、フェムトセルの配置を備える請求項１の方法。
【請求項９】
アイドル状態にいる間、装置のアイドルハンドオフの性能を確認し、
アイドルハンドオフの性能の機能として第１のタイマあるいは第２のタイマを始動し、
始動したタイマの未終了の間にオーバーヘッド情報を格納し、
格納されたオーバーヘッド情報に関連した基地局へ接続するために格納されたオーバーヘッド情報を利用する
ための命令を保存するメモリであって、
第１のタイマは短い未決状態を有し、第２のタイマは長い未決状態を有する、メモリと、
およびメモリにおいて保存された命令を実行するように構成されたメモリにつながれたプロセッサ
を備える無線通信装置。
【請求項１０】
前記メモリは、始動されたタイマの終了の際に格納されたオーバーヘッド情報の部分集合を削除することと関係する命令をさらに保存する請求項９の無線通信装置。
【請求項１１】
アイドルハンドオフが実行されている場合に、第１のキャッシュが選択され、その第１のキャッシュは前記第１のタイマに関係する請求項９の無線通信装置。
【請求項１２】
無線通信装置がアイドルハンドオフを実行していない場合に、第２のキャッシュが選択され、第２のキャッシュは、前記第２のタイマに関係する請求項９の無線通信装置。
【請求項１３】
選択的にオーバーヘッド情報を保存する無線通信装置であって、
アイドル状態にいる間、無線通信装置のアイドルハンドオフ機能を確認するための手段、
確認されたアイドルハンドオフ機能の関数として第１のタイマあるいは第２のタイマを始動するための手段、
第１のタイマあるいは第２のタイマの未決状態の間にオーバーヘッド情報を格納するための手段であって、前記第１のタイマは前記第２のタイマより短い継続期間を持つ、格納するための手段、
および格納されたオーバーヘッド情報に関連する基地局へ接続するために格納されたオーバーヘッド情報を利用するための手段
を備える無線通信装置。
【請求項１４】
第１のタイマは第１のキャッシュに相当し、第２のキャッシュに相当する第２のタイマより短い継続期間を有する請求項１３の無線通信装置。
【請求項１５】
第１のタイマは、ロングタームオーバーヘッドキャッシュ（Ｌｏｎｇ  Ｔｅｒｍ  Ｏｖｅｒｈｅａｄ  Ｃａｃｈｅ）に関係し、第２のタイマは、ショートタームオーバーヘッドキャッシュ（Ｓｈｏｒｔ  Ｔｅｒｍ  Ｏｖｅｒｈｅａｄ  Ｃａｃｈｅ）に関係し、装置は、さらに、アイドルステートコネクションオープンド（ＩｄｌｅＳｔａｔｅ．ＣｏｎｎｅｃｔｉｏｎＯｐｅｎｅｄ）指示が受信される場合に、ロングタームオーバーヘッドキャッシュ（Ｌｏｎｇ  Ｔｅｒｍ  Ｏｖｅｒｈｅａｄ  Ｃａｃｈｅ）およびショートタームオーバーヘッドキャッシュ（Ｓｈｏｒｔ  Ｔｅｒｍ  Ｏｖｅｒｈｅａｄ  Ｃａｃｈｅ）を取り除くための手段をさらに含む請求項１４の無線通信装置。
【請求項１６】
アイドル状態にある間に無線通信装置のアイドルハンドオフ機能を確認するための前記手段は、さらに、クィックコンフィグ（ＱｕｉｃｋＣｏｎｆｉｇ）メッセージにおけるセクタシグニチャ（ＳｅｃｔｏｒＳｉｇｎａｔｕｒｅ）フィールドの値が、クィックコンフィグ（ＱｕｉｃｋＣｏｎｆｉｇ）メッセージが受信されたセクタに関係するセクタシグニチャ（ＳｅｃｔｏｒＳｉｇｎａｔｕｒｅ）に対する最後に受信された値と異なることを確認し、また無線通信がアイドルハンドオフを実行していないことを決定する請求項１３の無線通信装置。
【請求項１７】
アイドルモードにいる間通信デバイスがアイドルハンドオフを実施しているかどうかコンピュータに決定させるための第１の組のコード、
第１のタイマあるいは第２のタイマをコンピュータに活性化させるための第２の組のコードであって、各タイマが異なる継続時間を有し、また、対応する第１のキャッシュあるいは第２のキャッシュに関係する、第２の組のコード、
前記対応する第１のキャッシュあるいは第２のキャッシュにおいてオーバーヘッド情報をコンピュータに格納させるための第３の組のコード、
および対応する第１のタイマあるいは第２のタイマの終了の際に第１のキャッシュあるいは第２のキャッシュにおいて保存されたオーバーヘッド情報の少なくとも１つの部分集合をコンピュータに取り除かせるための第４の組のコード
を記憶し、
前記第１のタイマは前記第２のタイマより短い継続期間を持つ、コンピュータ読み出し可能な記憶媒体。
【請求項１８】
アイドルハンドオフを実施しないことからアイドルハンドオフを実施することへコンピュータに切り替えさせることをコンピュータに検知させるための第５の組のコード、
およびまだアイドルモード中である場合に第２のタイマから第１のタイマへコンピュータに自動的に切り替えさせるための第５の組のコード
を記憶する請求項１７のコンピュータ読み出し可能な記憶媒体。
【請求項１９】
アイドルハンドオフを実施することからアイドルハンドオフを実施しないことへの切り替えをコンピュータに検知させるための第５の組のコード、
およびまだアイドルモード中である場合に第１のタイマから第２のタイマへコンピュータに自動的に切り替えさせるための第６の組のコード
を備える請求項１７のコンピュータ読み出し可能な記憶媒体。
【請求項２０】
アイドル状態にある間にアイドルハンドオフが実行されているかどうかを決定するための第１のモジュール、
第１のタイマあるいは第２のタイマを始動するための第２のモジュール、
始動されたタイマの未決の間にオーバーヘッド情報を格納するための第３のモジュールであって、前記第１のタイマは前記第２のタイマより短い継続期間を持つ、第３のモジュール、
および格納されたオーバーヘッド情報に関連した基地局へ接続するために格納されたオーバーヘッド情報を利用するための第４のモジュール
を備えるオーバーヘッド情報を格納するように構成された少なくとも１つのプロセッサ。
【発明の詳細な説明】
【技術分野】
【０００１】
相互参照
これは、米国特許法（３５ＵＳＣ）１１９条（ｅ）の下で、２００８年９月１５日に出願され、「フェムトの配置のためのオーバーヘッドメッセージを記憶するための変化する有効期間を持ったキャッシュ」と名称がつけられた米国仮特許出願第６１／０９７，０７４号の利益を主張し、そして、参照によりここに組み込まれ、譲受人に譲渡される。
【０００２】
以下の説明は、一般的には、無線通信システムに関係し、具体的には、フェムトセルの配置に関係がある。
【背景技術】
【０００３】
無線通信システムまたはネットワークはさまざまなタイプの通信を提供するために広く展開される。例えば、音声および／またはデータは無線通信システムを通って提供され得る。典型的な無線通信システム、あるいはネットワークは、１つ以上の共用のソースへの複数のユーザのアクセスを提供することができる。例えば、システムは、周波数分割多重（Ｆｒｅｑｕｅｎｃｙ  Ｄｉｖｉｓｉｏｎ  Ｍｕｌｔｉｐｌｅｘｉｎｇ：ＦＤＭ）、時分割多重（Ｔｉｍｅ  Ｄｉｖｉｓｉｏｎ  Ｍｕｌｔｉｐｌｅｘｉｎｇ：ＴＤＭ）、符号分割多重（Ｃｏｄｅ  Ｄｉｖｉｓｉｏｎ  Ｍｕｌｔｉｐｌｅｘｉｎｇ：ＣＤＭ）、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）などのような様々な多元接続技術を使用し得る。
【０００４】
最近、ユーザは、モバイル通信と固定ライン通信を交換することを開始し、改善された音声品質、信頼できるサービスおよび安値をますます要求した。現在の所定の位置のモバイル電話ネットワークに加えて、新しいクラスの小さな基地局が出現し、それはユーザのホームあるいは他のエリアに設置され、そして、それは既存の広帯域インターネット回線を使用して、モバイルユニットに屋内の無線の有効範囲を供給し得る。そのような個人の小型基地局は、アクセスポイント基地局、あるいは、代わりにホームノードＢ（Ｈｏｍｅ  Ｎｏｄｅ  Ｂ：ＨＮＢ）か、フェムトセルとして一般に知られている。典型的には、そのような小型基地局はＤＳＬルータあるいはケーブルモデムによってインターネットおよび携帯電話会社のネットワークに接続される。
【０００５】
フェムトセルは少量のパワーを送信し、マクロセルと比較して、はるかに小さな有効範囲があり、マクロセルは大きな有効範囲を有する。フェムトセルは、マクロセルの有効範囲において有効であり得、および／または追加の容量が望まれる有効範囲を提供するためにネットワークに加えられる。したがって、マクロセルおよびフェムトセルの混合を含むこの新しいタイプのネットワーク配備のトポロジーは、より一般的になっている。
【０００６】
セルによってカバーされたセクタへのアクセスを獲得したい装置にオーバーヘッド情報を提供するために、パイロットＰＮ（擬似雑音（Ｐｓｅｕｄｏ  Ｎｏｉｓｅ））コードはフェムトセルおよび／またはマクロセルによって送信される。しかしながら、利用可能なパイロットＰＮコードの数の制限がある。したがって、ＰＮコードは再度使用される。再度同じＰＮコードを使用するセクタの間の距離が大きいので、これは一般にマクロセルに関する問題ではない。しかしながら、フェムトセルトポロジーでは、ＰＮコードの再度使用する周波数はより高く、したがって、モバイルの装置は、マクロセルを利用するネットワーク中でよりも迅速な同じＰＮコードを使用する２つのセクタに遭遇する場合がある。
【要約】
【０００７】
以下のことは、そのような態様の基本的理解を提供するために１つ以上の態様の単純化された要約を提示する。この要約はすべての熟考された態様の広範囲な概観でなく、すべての態様のキーや重大な要素を識別しないいずれかあるいはすべての態様の範囲を描かないように意図される。その唯一の目的は、後で示されるもっと詳細な記載に対する前置きとして単純化された形式中の１つ以上の態様のいくつかの概念を提示することである。
【０００８】
それの１つ以上の態様および対応する開示に従って、さまざまな態様は、装置の移動あるいはアイドルハンドオフを実行しているかの機能として少なくとも２台の異なるキャッシュタイマおよび関連するキャッシュを利用することに関して記載される。装置がアイドルハンドオフ（例えば、あるセクタの有効範囲から別のセクタの有効範囲まで移って）を行なっている場合、オーバーヘッド情報が保存される時間の量は小さい。したがって、キャッシュは頻繁にリフレッシュすることができる。装置がアイドルハンドオフ（例えば、移動するセクタの有効範囲内に移動して）を行なっていない場合、オーバーヘッド情報を保存する時間の量が増加される場合がある。さらに、装置の動作が変わる（例えば、アイドルハンドオフを実行しないことからアイドルハンドオフを実行することへの変更、およびアイドルハンドオフを実行することからアイドルハンドオフを実行しないことへの変更）場合、オーバーヘッド情報が保存される時間の量は、動的に調節されることができる。
【０００９】
態様は、通信網にオーバーヘッドメッセージを格納するための通信装置によって実行された方法に関係がある。方法は、通信装置がアイドルハンドオフを実行しているか実行していないかを決定すること、及びその決定に基づいて第１のタイマあるいは第２のタイマを開始させるｓを含む。タイマにはそれぞれ異なる持続期間がある。さらに、方法は、少なくとも１つのキャッシュにオーバーヘッド情報を格納すること、および第１のタイマあるいは第２のタイマの終了時に少なくとも１つのキャッシュにおいて保存されたオーバーヘッド情報の少なくとも１つの部分集合の廃棄を含む。
【００１０】
別の態様は、メモリとプロセッサを含んでいる無線通信装置に関係がある。メモリは、アイドル状態にいる間に装置のアイドルハンドオフの性能を確認し、確認されたアイドルハンドオフの性能の機能として第１のタイマあるいは第２のタイマを開始させることと関係する命令を保存する。メモリは、さらに、開始させられたタイマの未決の間にオーバーヘッド情報を格納すること、および格納されたオーバーヘッド情報に関連した基地局へ接続するために格納されたオーバーヘッド情報を利用することに関係する命令を保存する。プロセッサはメモリに接続され、メモリにおいて保存された命令を実行するように構成される。
【００１１】
さらに別の態様は、選択的にオーバーヘッド情報を保存する無線通信装置に関係がある。無線通信装置は、さらに、アイドル状態にある間に無線通信装置のアイドルハンドオフの機能を確認するための手段、および確認されたアイドルハンドオフの機能として第１のタイマあるいは第２のタイマを始動するための手段を含んでいる。無線通信装置は、さらに、第１のタイマあるいは第２のタイマの未終了の間にオーバーヘッド情報を格納するための手段、および格納されたオーバーヘッド情報に関連した基地局へ接続するために格納されたオーバーヘッド情報を利用するための手段を含む。
【００１２】
しかし、別の態様は、コンピュータ読み出し可能な媒体を含むコンピュータプログラム製品に関係がある。コンピュータ読み出し可能な媒体は、コンピュータに、通信装置がアイドルモードにある間にアイドルハンドオフを行うかどうかを決定させる第１の組のコード、および決定の機能として、コンピュータに第１のタイマあるいは第２のタイマを活性化させるための第２の組のコードを含む。各タイマは、異なる持続時間を持っており、対応する第１のキャッシュあるいは第２のキャッシュに関係する。コンピュータ読み出し可能な媒体は、さらに、コンピュータに、対応する第１のキャッシュあるいは第２のキャッシュにオーバーヘッド情報を格納させるための第３の組のコードを含む。さらに、コンピュータ読み出し可能な媒体は、コンピュータに、対応する第１のタイマあるいは第２のタイマの終了時に第１のキャッシュあるいは第２のキャッシュにおいて保存されたオーバーヘッド情報の少なくとも１つの部分集合を廃棄させるための第４の組のコードを含む。
【００１３】
更なるの態様は、可変タイマの機能としてオーバーヘッド情報を格納するように構成された少なくとも１台のプロセッサに関係する。プロセッサは、アイドル状態にある間にアイドルハンドオフが実行されているかどうか決定するための第１のモジュール、および決定の機能として第１のタイマあるいは第２のタイマを始動するための第２のモジュールを含む。プロセッサは、さらに、選択されたタイマの未決の間に第１のキャッシュまたは第２のキャッシュにオーバーヘッド情報を格納するための第３のモジュール、および格納されたオーバーヘッド情報に関連した基地局へ接続するために格納されたオーバーヘッド情報を利用するための第４のモジュールを含む。
【００１４】
先の及び関連する終了の実行に対して、１つ以上の態様はここで十分に説明され、かつ請求項において特に指摘された特徴を備える。以下の説明および添付された図面は、１つ以上の態様のある実例となる特徴を詳細に述べる。しかしながら、これらの特徴が表示されるが、さまざまな態様の法則が使用され得る少数の様々な方法のみが表示される。図面と共に考慮された時、他の利点および顕著な特徴は、以下の詳細な記載から明白になるだろう。そして、示された態様は、そのような態様およびそれらの等価物をすべて含むように意図される。
【図面の簡単な説明】
【００１５】
【図１】図１は、さまざまな示された態様はインプリメントされてもよい多くのユーザを支援するように構成された典型的な無線通信システムを例示する。
【図２】図２は、ネットワーク環境内のアクセスポイント基地局の配置を可能にする典型的な通信システムを例示する。
【図３】図３は、態様に従って、オーバーヘッドメッセージの格納のために変数する有効期間を備えたキャッシュを利用するシステムを例示する。
【図４】図４は、態様に従って、アイドルハンドオフが実行されているかどうかの機能としてオーバーヘッド情報をキャッシングするためのシステムを例示する。
【図５】図５は、態様に従ってオーバーヘッドメッセージを格納するために変化する有効期間を利用する方法を例示する。
【図６】図６は、示された態様の１つ以上に従ってオーバーヘッド情報をキャッシに入れるための変化する時間を利用するシステムを例示する。
【図７】図７は、１つの態様に従って、アイドルハンドオフの機能としてのキャッシュタイマおよび通信環境内のデバイスの動作状態を動的に調節する例のシステムを例示する。
【図８】図８は、１つ以上の態様に従って、多元接続の無線通信システムを例示する。
【詳細な説明】
【００１６】
さまざまな態様は、今、図面を参照して記載される。以下の記載では、説明の目的のために、多数の特定の詳細は、１つ以上の態様についての完全な理解を提供するために述べられる。しかし、そのような態様が、これらの特有の詳細なしで実行されることは明白であり得る。他の事例では、良く知られた構造および装置は、これらの態様について記載することを促進するためにブロック図の形で示される。
【００１７】
本出願において使用されるように、「コンポーネント」、「モジュール」、「システム」、などの用語は、コンピュータ関連のエンティティと、ハードウェア、ファームウェア、ハードウェアとソフトウェアの組み合わせ、ソフトウェア、あるいは実行中のソフトウェアのいずれかを参照するよう意図される。例えば、コンポーネントは、プロセッサ上で実行するプロセス、プロセッサ、オブジェクト、実行可能、実行のスレッド、プログラムおよび／またはコンピュータであり得るが、それに制限されない。実例によって、コンピューティング装置上で作動するアプリケーション、およびコンピューティング装置の両方は、コンポーネントになり得る。１つ以上のコンポーネントが、プロセス、および／または実行のスレッド内に存在することができ、また、コンポーネントは１台のコンピュータに集中され、および／または、２台以上のコンピュータ間で分配され得る。さらに、これらのコンポーネントは、その上に格納されたさまざまなデータ構造を有するさまざまなコンピュータ読み出し可能な媒体から実行することができる。コンポーネントは、１つ以上のデータパケット（例えば、信号によって、ローカルシステム、分散システムにおいて、および／または他のシステムを備えたインターネットのようなネットワークを横切って他のコンポーネントと対話する１つのコンポーネントからのデータ）を有する信号に従ってのようにローカルおよび／または遠隔プロセスによって通信し得る。
【００１８】
更に、さまざまなは、モバイルの装置に関してここに記載される。モバイルの装置は、コールされることができ、システム、加入者ユニット、加入者設備、移動局、モバイル、無線端末、ノード、デバイス、遠隔局、遠隔端末、アクセス端末、ユーザ端末、端末、無線通信デバイス、無線通信装置、利用者エージェント、ユーザ装置、あるいはユーザ設備（ｕｓｅｒ  ｅｑｕｉｐｍｅｎｔ：ＵＥ）などの機能性のうちのいくらかあるいはすべてを含み得る。モバイルの装置は、携帯電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、スマートフォン、ワイヤレスローカルループ（ｗｉｒｅｌｅｓｓ  ｌｏｃａｌ  ｌｏｏｐ：ＷＬＬ）局、携帯情報端末（ｐｅｒｓｏｎａｌ  ｄｉｇｉｔａｌ  ａｓｓｉｓｔａｎｔ：ＰＤＡ）、ラップトップ、携帯型の通信装置、携帯型のコンピューティングデバイス、サテライトラジオ、無線モデムカード、および／または無線システムを通して通信するための他の処理デバイスであることができる。さらに、さまざまな態様は、基地局に関してここに記載される。基地局は、無線端末と通信するために利用され得て、コールされることができ、アクセスポイント、ノード、ノードＢ、ｅ−ノードＢ、ｅ−ＮＢ、フェムトセル、あるいは他のネットワークエンティティの機能性のうちのいくらかあるいはすべてを含み得る。
【００１９】
さまざまな態様または特徴は、多くのデバイス、コンポーネント、モジュールなどを含み得るシステムの用語において示されるだろう。さまざまなシステムが、追加の装置、コンポーネント、モジュールなどを含み、および／または、図に関して議論されたデバイス、コンポーネント、モジュールなどのすべてを含み得ないことは理解され認識されるべきである。これらのアプローチの組合せも使用され得る。
【００２０】
さらに、主題記述では、「典型的な」（またそれの変形）の単語は、例（ｅｘａｍｐｌｅ）、事例（ｉｎｓｔａｎｃｅ）、あるいは実例（ｉｌｌｕｓｔｒａｔｉｏｎ）として役立つことを意味するために使用される。好まれるか、他の態様あるいは設計に関して有利だったように、「典型的である」とここに記載されたどんな態様あるいは設計も必ずしも解釈することができない。さらに、典型的なという単語の使用は、具体的なやり方で概念を示すように意図される。
【００２１】
図１は、多くのユーザを支援するように構成された典型的な無線通信システム１００を例示し、そこにおいて、さまざまな開示された態様は、インプリメントされ得る。システム１００は、例えばマクロセル１０２ａ−１０２ｇのように、多数のセル１０２のために通信を提供する。各マクロセル１０２ａ−１０２ｇは、対応するアクセスポイント１０４（アクセスポイント１０４ａ−１０４ｇのような）によってサービスされる。各セル１０２ａ−１０２ｇは、１つ以上のセクタにさらに分割され得る。さまざまな装置１０６（装置１０６ａ−１０６ｋを含む）は、システム１００の全体にわたって分散される。各デバイス１０６は、例えば、装置１０６が活発か、装置１０６が柔軟なハンドオフにあるかどうかに依存して、与えられた瞬間にフォワードリンク（ｆｏｒｗａｒｄ  ｌｉｎｋ：ＦＬ）および／またはリバースリンク（ｒｅｖｅｒｓｅ  ｌｉｎｋ：ＲＬ）上の１つ以上のアクセスポイント１０４と通信し得る。例えば、無線通信システム１００は、大きな地理的な領域を通してサービスを提供しえる。例えば、マクロセル１０２ａ−１０２ｇは、近隣の少数のブロックをカバーし得る。
【００２２】
図２は、ネットワーク環境内のアクセスポイント基地局の配置を可能にする、典型的な通信システム２００を例示する。システム２００は、マクロセルアクセス２０２を含んでいる。多元接続ポイント基地局あるいはホームノードＢユニット（Ｈｏｍｅ  Ｎｏｄｅ  Ｂ：ＨＮＢ）、あるいは例えばフェムトセル２０４のようなフェムトセルがシステム２００に含まれることができる。各フェムトセル２０４は、例えば、１つ以上のユーザの住居２０６のような対応する小規模なネットワーク環境において取り付けられる。フェムトセル２０４は、他の装置と同様に、関連するユーザ装置に役立つように構成される。各フェムトセル２０４は、さらに、ＤＳＬルータ（図示されない）、あるいは、代わりにケーブルモデム（図示されない）によってインターネット２１０およびモバイルオペレータコアネットワーク２１２に接続される。
【００２３】
ここに記載された実施例は、３ＧＰＰの用語を使用するが、開示された態様は、３ＧＰＰ２（１ｘＲＴＴ、１ｘＥＶ−ＤＯ  Ｒｅｌ０、ＲｅｖＡ、ＲｅｖＢ）技術および、他の良く知られたかつ関連する技術と同様に、３ＧＰＰ（Ｒｅｌ９９、Ｒｅｌ５、Ｒｅｌ６、Ｒｅｌ７）技術に適用され得ることは理解されるべきである。ここに記述されたそのような態様において、フェムトセル２０４の所有者は、モバイルオペレータコアネットワーク２１２を通って提示される、例えば３Ｇモバイルサービスのようなモバイルサービスを予約し、また、ユーザ設備２０８は、マクロのセルの環境、および居住用の小さなネットワーク環境の両方で操作するのが可能である。したがって、フェムトセル２０４は、任意の既存のユーザ設備２０８（例えば、レガシーデバイス）と後ろ向きの互換性がある。
【００２４】
増加される周波数に伴って、ネットワーク配置トポロジーは、マクロセルの有効範囲およびフェムトセルの有効範囲の混合を含むトポロジーに変わっている。例えば、図１に例示されたマクロセルはそれぞれ複数個のフェムトセルを含むことができる。
【００２５】
すべてのセクタ（マクロとフェムトの両方）はパイロットＰＮ（擬似雑音（ＰｓｅｕｄｏＮｏｉｓｅ））コードを送信する。しかしながら、使用に利用可能な限られた数のパイロットＰＮコードがある。したがって、いくらかの再使用のパターンあるいは周波数が利用されるので、同じパイロットＰＮコードが繰り返されることができる。一般に、近隣のセクタは、その同じパイロットＰＮコードを利用しない。しかし、セクタが互いからのより多くの遠隔になるとともに、同じパイロットＰＮコードは再使用されることができる。例えば、マクロセルトポロジーでは、オペレータは、１０マイルより少なくないような（それらは例にすぎない）パイロットＰＮコードがネットワークにおいて再使用される距離に気づいている。さらに、オペレータは、１０分のような（それは例にすぎない）、装置が第一セクタから同じＰＮコードを使用することが起きる第二のセクタへ移動することができる最大速度に気づいている。したがって、装置は、１０分以上オーバーヘッド情報をキャッシュに入れるべきでない。１０分以上の間、装置が、オーバーヘッド情報をキャッシュに入れることが許可される場合、装置が、第２のセクタの有効範囲に入る可能性があり、また、第２のセクタが第一セクタと同じＰＮコードを利用するので、装置は第一セクタとして第２のセクタを誤認するだろう。この誤認は、正しくないオーバーヘッド情報およびしたがって通信障害（例えば故障停止）結果を使用する装置に帰着することができる。
【００２６】
代わりに、あるいは、さらに、装置が、アイドルハンドオフを実行していない場合、キャッシュがリフレッシュされるべきであるのと同じくらい頻繁にアイドルハンドオフを実行する装置であるキヤッシュをリフレッシュする必要がない。例えば、装置は、仕事中のユーザの机の上に置かれ得る。装置は、机の上で（あるいはオフィスに有効範囲を供給するフェムトセルのようなセクタの有効範囲内で）に残っているかもしれない。したがって、ユーザ（また装置）がオフィスで残っている間、キャッシュにおいて保存されたオーバーヘッド情報は、必要とされるオーバーヘッド情報である。したがって、いくつかの態様に従って、時間のオーバーヘッド情報の長さは、キャッシュにおいて保存される、装置がアイドルハンドオフを実行していない間、拡張される、それは、装置が移動した場合、装置が起きるに違いないし、オーバーヘッド情報を読むに違いない回数を緩和することができる。立ち上がり期間の緩和はバッテリの有効期間を増加させることができ。電池がより長い周期の期間にチャージされるままであるので、それはユーザ経験を向上させることができる。
【００２７】
図３は、態様に従って、オーバーヘッドメッセージの格納のために変化する有効期間のキャッシュを利用するシステム３００を例示する。示された態様は、様々な無線通信環境（例えばワイドエリアネットワーク（Ｗｉｄｅ  Ａｒｅａ  Ｎｅｔｗｏｒｋ：ＷＡＮ）、ローカルエリアネットワーク（Ｌｏｃａｌ  Ａｒｅａ  Ｎｅｔｗｏｒｋ：ＬＡＮ）、パーソナルエリアネットワーク（Ｐｅｒｓｏｎａｌ  Ａｒｅａ  Ｎｅｔｗｏｒｋ：ＰＡＮ）など）で利用されることができる。フェムトセル機能性を利用する無線通信環境３００が例示される。「フェムトセル」は、家庭環境内のセルラーサービスの提供のためにユーザの（例えば加入者の）住宅に取り付けられる個人の小型の基地局のために一般的に使用される用語である。しかしながら、フェムトセルは、さまざまな環境（例えばオフィス、ストア、コーヒーショップ、図書館など）において利用されることができ、家庭環境に限定されない。
【００２８】
フェムトセルは、通常、ラジオアクセスネットワーク（ｒａｄｉｏ  ａｃｃｅｓｓ  ｎｅｔｗｏｒｋ：ＲＡＮ）機能性（例えば、基地トランシーバシステム（ｂａｓｅ  ｔｒａｎｓｃｅｉｖｅｒ  ｓｙｓｔｅｍ：ＢＴＳ）、基地局制御装置（ｂａｓｅ  ｓｔａｔｉｏｎ  ｃｏｎｔｒｏｌｌｅｒ：ＢＳＣ）、パケットデータサービングノード（ｐａｃｋｅｔ  ｄａｔａ  ｓｅｒｖｉｎｇ  ｎｏｄｅ：ＰＤＳＮ）、あるいは他のネットワークエレメント）を利用し、限られた数のユーザにサービスを提供する。フェムトセルは、ＤＳＬルータ、ケーブルモデムを通して、あるいは他の技術によってインターネットおよびセルのオペレータのネットワークに接続することができる。
【００２９】
システム３００は、チャネル３０４を通してデータを送信していることが示される無線通信装置３０２を含む。無線通信装置３０２は、データの送信として描かれたが、さらに、チャネル３０４を通してデータを受信することができる（例えば、無線通信装置３０２は、同時にデータを送信し受信することができ、そして無線通信装置３０２は、異なる時間にデータを送信し受信することができ、あるいはそれの組合せを行う）。
【００３０】
アイドルモードでは、移動体装置３０２は、モバイル装置３０２が訪れたセクタからオーバーヘッド情報を取得する。このオーバーヘッド情報はキャッシュ３０６内に保存されることができる。このオーバーヘッド情報をキャッシュに入れることによって、モバイルデバイス３０２が、後にそれらのセクタに再び訪れた場合に、セクタにブロードキャストされたオーバーヘッド情報が再度読み出しされる必要が無いが、キャッシュ３０６からアクセスすることができる。装置３０２がアクティブ（あるいは接続された）モードである場合、オーバーヘッド情報はキャッシュに入れられない（例えば、オーバーヘッドが、接続された間、装置３０２がモニターする接続管理と関係する情報を含んでいるので、装置３０２は、接続状態においてオーバーヘッド情報を読み出す）。
【００３１】
装置３０２は、さらに装置３０２が、アイドルハンドオフを実行するかアイドルハンドオフを実行しないかの決定に対して構成される移動モジュール３０８を含む（例えば、装置３０２が、セクタの有効範囲とともに移動している場合に、装置３０２は、アイドルハンドオフを実行していない）。装置３０２が、アイドルハンドオフを実行しているかどうかに基づいて、タイマモジュール３１０は、時間の経過された量を追跡するように構成され、また、時間の経過後に、キャッシュに入れられて保存された情報が取り除かれる。時間の経過された量は、装置３０２がアイドルハンドオフを実行するかアイドルハンドオフを実行していないかの関数である。装置３０２が、アイドルハンドオフを実行していない場合、パイロットＰＮコードがキャッシュに入れられた３０６に保存される時間の量は、装置３０２がアイドルハンドオフを実行している場合に、パイロットＰＮコードが保存される時の量より長い期間向けでありえる。
【００３２】
例えば、極端な場合では、同じＰＮコード（例えば再使用）を使用するセクタ間に１００キロメーターあり、また、装置３０２は、毎時５０キロメートルより速く移動しない。この状況で、装置３０２が、第一のセクタから第２のセクタへ移動することができるので、装置３０２は２時間を超える時間オーバーヘッド情報をキャッシュに入れるべきでなく。そこでは第一セクタおよび第２のセクタの両方は同じＰＮコードを利用する。第一のセクタのＰＮコードが２時間（第１のセクタと第２のセクタの間を移動する時間の量）以上キャッシュ３０６に保存される場合、装置３０２は、事故（例えば、途絶えた呼び出し、有効範囲の損失など）という結果になり第２のセクタを第一のセクタと誤り、第一のセクタのためのＰＮコードを使用する。しかしながら、第一のセクタのＰＮコードがキャッシュ３０６に保存され、装置３０２が２時間の間隔の終了の前に第一セクタの有効範囲内に来る場合、それはセクタが、ＰＮコードが受け取られたのと同じセクタであることを示す。この場合、ＰＮコードはキャッシュ３０６から検索され、また、第一のセクタのオーバーヘッド情報は、時間を節約し、装置３０２の性能仕様を増加させて、再び読まれる必要はない。
【００３３】
装置３０２が、アイドルハンドオフを実行していない状況において、キャッシュ３０６は、装置がアイドルハンドオフを実行する（例えば、場所から場所に移動されて）状況でリフレッシュされるであろうとするのと同様にしばしば装置３０２がキャッシュ３０６をリフレッシュする必要はない。したがって、装置３０２が、アイドルハンドオフを実行していない場合、装置３０２が、同じＰＮコードを持ってあるセクタから別のセクタへ移動していないので、オーバーヘッド情報は、長い期間のためのキャッシュ３０６に保存されることができる。しかしながら、装置３０２が、アイドルハンドオフ（例えば、ユーザは仕事を中断している）を実行することを開始する場合、移動モジュール３０８は、移動を検知することができ（例えば、装置３０２がアイドルハンドオフを実行していることを検知することができる）、また、ＰＮコードがキャッシュ３０６に保存される時間の量は、移動の関数として縮小されることができる。他方では、装置３０２が、アイドルハンドオフを実行していて、移動モジュール３０８が、装置３０２がもはやアイドルハンドオフを行っていない（例えば、動きがないかセクタの有効範囲内で移動する）と決定する場合に、キャッシュ３０６に保存される時間オーバーヘッド情報の量は、アイドルハンドオフの不足の関数として拡張することができる。
【００３４】
装置が接続されるか、あるいはネットワーク上で活発な場合（例えば、単に無効の移動を実行しない）、オーバーヘッド情報がキャッシュに入れられないかもしれないことは注目されるべきである。これは、接続された時、他のオーバーヘッド情報が装置３０２によって必要であるという事実による。いくつかの態様に従って、装置３０２が、アクティブ状態（例えば、ネットワークに接続された）に入る場合に、キャッシュ３０６のコンテンツは除去される。
【００３５】
システム３００は、装置３０２（および／またはキャッシュ３０６）に効果的につながれたメモリ３１２を含むことができる。メモリ３１２は、装置３０２の外側に存在することができ、あるいは装置３０２内に存在することができる。メモリ３１２は、装置が、アイドルハンドオフを実行しているかいないかを確認すること、確認されたアイドルのハンドオフの性能の機能としての第１のキャッシュあるいは第２のキャッシュを選択すること、選択されたキャッシュに関連したタイマの未終了の間に選択されたキャッシュにおいてオーバーヘッド情報を格納すること、および格納されたオーバーヘッド情報に関連したネットワークに接続するために格納されたオーバーヘッド情報を利用することに関係する情報を格納することができる。メモリは、さらに、通信ネットワークにおいて送受信された信号と関係する他の適切な情報を保存する。プロセッサ３１４は、通信ネットワークにおけるオーバーヘッド情報を自動的にキャッシュに入れることと関係する情報の分析を促進するために装置３０２（またはメモリ３１２）に効果的に接続されることができる。プロセッサ３１４は、装置３０２により受信される情報を分析かつ／または生成するに専用のプロセッサ、システム３００の１つ以上のコンポーネントをコントロールするプロセッサ、および／または装置３０２によって受信される情報を分析し生成し、そして、システム３００の１つ以上のコンポーネントをコントロールするプロセッサになりえる。
【００３６】
メモリ３１２は、装置３０２と他のデバイス、アクセスポイントなどの間の通信をコントロールするための動作する、オーバーヘッドメッセージを格納するための可変の有効期間のキャッシュに関係するプロトコルを格納することができるので、システム３００は、ここに記載された無線ネットワークにおける改善された通信を達成するために格納されたプロトコルおよび／またはアルゴリズムを使用することができる。ここに記述されたデータストア（例えばメモリ）コンポーネントが揮発性メモリか不揮発性記憶装置のいずれかになりえるか、揮発性及び不揮発性記憶装置の両方を含むことができることが認識されるべきである。制限ではなく例によって、不揮発性メモリは、読み取り専用メモリ（ｒｅａｄ  ｏｎｌｙ  ｍｅｍｏｒｙ：ＲＯＭ）、プログラム可能なＲＯＭ（ＰＲＯＭ）、電気的にプログラム可能なＲＯＭ（ＥＰＲＯＭ）、電気的に消去可能なＲＯＭ（ＥＥＰＲＯＭ）あるいはフラッシュメモリーを含むことができる。揮発性メモリは、ランダムアクセスメモリ（ｒａｎｄｏｍ  ａｃｃｅｓｓ  ｍｅｍｏｒｙ：ＲＡＭ）を含むことができ、それは外部キャッシュメモリとして働く。限定ではなく例によって、ＲＡＭは、同期のＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、向上したＳＤＲＡＭ（ＥＳＤＲＡＭ）、Ｓｙｎｃｈｌｉｎｋ  ＤＲＡＭ（ＳＬＤＲＡＭ）およびダイレクトＲａｍｂｕｓ  ＲＡＭ（ＤＲＲＡＭ）のような多くの形式で利用可能である。示された態様のメモリは、限定されることなしに、これらのメモリおよび他の適切なメモリを含むように意図される。
【００３７】
上に議論されるように、無線通信装置３０２は、基地局（例えばフェムトセル、基地局に配置されたオペレータなど）から知らされるオーバーヘッドパラメータを受信すべきである。装置３０２が静止しており、あるいは、アイドルのハンドオフを実行していない場合に、装置３０２はオーバーヘッドパラメータを一度読み、装置３０２がアイドル状態である間、比較的長い間オーバーヘッドパラメータを格納すべきである。装置３０２が動いており、アイドルハンドオフを比較的頻繁に実行する場合、装置３０２はオーバーヘッドパラメータをキャッシュに入れるべきである。しかしながら、キャッシュは、装置３０２がアイドルハンドオフを実行しない場合より頻繁にリフレッシュされるべきである。オーバーヘッドがキャッシュに入れられず、アイドルハンドオフが実行される各時間にオーバーヘッドを拾い上げることが強いられる場合、バッテリの有効期間はひどく影響されることができる。装置３０２が、アイドルハンドオフが行なわれない時に、使用されるのと同じキャッシュの有効期間を利用する場合、装置３０２は、同じＰＮコードが再使用されるセクタへのアイドルハンドオフを行う。この状況で、装置３０２は、正しくない格納されたオーバーヘッド情報を使用するだろう。それは、アクセスを得るために間違ったパラメータの使用に加えて事故（例えば通信障害）という結果になる装置３０２を登録させないことができる。フェムトセルの人気により、ＰＮ再使用問題はより危険になる。
【００３８】
示された態様に従って、減少されたバッテリの有効期間および正しくないオーバーヘッド情報に関連した問題は緩和される。装置３０２は、「アイドルハンドオフの」場合用のより短いキャッシュの有効期間を持った個別のキャッシュをインプリメントする。アイドルハンドオフに関連したこのより短い有効期間のキャッシュの持続期間は、再使用範囲に入る装置の可能性を緩和する最大値になりえる。
【００３９】
図４は、態様に従って、アイドルハンドオフを実行しているかどうかの関数としてオーバーヘッド情報をキャッシュに入れるためにシステム４００を例示する。システム４００は、チャネル４０４を通ってデータを受信していることが示される無線通信装置４０２を含む。通信装置４０２が、チャネル４０４を通ってデータを受信することが示されたが、チャネル４０４を通してデータを送信することができる（例えば、通信装置４０２は実質的に同時にデータを受信することができ、通信装置４０２は、異なった時にデータを受信することができ、あるいはそれらの組み合わせ）。
【００４０】
クィックコンフィグ（ＱｕｉｃｋＣｏｎｆｉｇ）メッセージは、オーバーヘッドメッセージの内容の変化を示し、かつ頻繁に変わる情報を提供するために利用される。従来のシステムは、装置４０２が既に情報をキャッシュに入れられてメッセージが受信された最後の時からクイックページ（ＱｕｉｃｋＰａｇｅ）のコンフィグチャージのパラメータが変化していなくても、時間装置４０２がアイドルハンドオフを実行する各時間に、クィックコンフィグメッセージのコピーを受け取ることを装置４０２に要求する。この不必要な覚醒期間は、バッテリの有効期間に負の効果を持つ。開示された態様は、アイドルハンドオフが実行されるかどうかの関数として覚醒期間を動的に調節する有利さを有し、したがって、バッテリの有効期間を延長することができる。そして、示された態様に従って、キャッシュに入れられた情報が存在し、コンフィグチェンジ（ＣｏｎｆｉｇＣｈａｎｇｅ）パラメータが変わっていない場合に、を「休眠」モードに戻ることが許可された。
【００４１】
装置は、タイマ４０８の終了までオーバーヘッド情報を保存するように構成されるキャッシュ４０６を含む。キャッシュ４０６に保存される時間オーバーヘッド情報の量は、装置４０２が動いているかどうかの関数である、それは移動モジュール４１０によって決定される。移動モジュール４１０は、装置４０２が休眠モードに入った時に同じＰＮ上であるか異なるＰＮ上であるかよりむしろ装置４０２が覚醒したときにそれが同じＰＮ上であるか異なるＰＮ上であるかを評価することによって装置４０２が動いているかいないかを評価することができる。装置４０２が覚醒していて、同じＰＮコードおよび周波数上にある場合、それは装置が動いていないこと及びより長いキャッシュタイマが利用されていることすることができる。しかしながら、装置４０２が覚醒しているＰＮコードが、装置４０２が最後の時刻に（また、装置４０２は毎ｘ秒に覚醒する）覚醒するＰＮコードとは異なる場合、それは、装置４０２が移動しておりより短いキャッシュタイマを利用することができることを示す。
【００４２】
タイマモジュール４０８は各々異なる終了値を持つ、２台の独立したタイマの第１のタイマ４１２および第２のタイマ４１４を含むことができる。装置４０２がアイドルハンドオフを実行していない場合、第１のタイマ４１２は、利用されることができ、また、装置４０２がアイドルハンドオフを（移動モジュール４１０によって決定されたように）実行している場合、第２のタイマ４１４は利用されることができる。例えば、移動モジュール４１０が、以前にアイドルハンドオフを実行していない装置４０２が今アイドルハンドオフを実行していることを決定する場合、キャッシュタイマは、第１のタイマ４１２から第２のタイマ４１４へ切り替えられることができる。別の例において、装置４０２が、アイドルハンドオフを実行していて、もはやアイドルハンドオフを実行していない場合、第２のタイマ４１４から第１のタイマへ切り替えはタイマモジュール４０８によって行われることができる。
【００４３】
さらなる詳細において、装置４０２は、アクティブモードとアイドルモードのような、少なくとも２つのモードあるいは状態のうちの１つにあることができる。アクティブモードにおいて、オーバーヘッド情報（例えばクィックコンフィグ情報）はここに示されるようにキャッシュに入れられる必要はない。しかしながら、装置４０２がアイドルモードにある場合、開示された態様は利用されることができる。
【００４４】
いくつかの態様に従って、キャッシュの有効期間に対して大きな値が望まれる。しかしながら、大きな値は、それが、装置４０２に、キャッシュの有効期間の範囲内において同じもの＜ＰＮ、周波数＞を持った異なるセクタに対してアイドルハンドオフをし、しばらくの間新しいオーバーヘッド情報を得ること生じさせという負の側の効果をもつことができる。他方では、大きなキャッシュの有効期間は、アイドルハンドオフをしばしば行なわない装置には望ましい。したがって、タイマモジュール４０８は、第１のタイマおよび第２のタイマ４１２を含み、それは互いから独立している。第１のタイマ４１０は、第１のキャッシュ４１６に関係し、また、第２のタイマ４１２は第２のキャッシュに関連する。第１のキャッシュ４１６と第２キャッシュ４１８は、さまざまな態様に従って分離され独立キャッシュであることができる。いくつかの態様に従って、第１のタイマはショートタームオーバーヘッドキャッシュピリョッド（ＳｈｏｒｔＴｅｒｍＯｖｅｒｈｅａｄＣａｃｈｅＰｅｒｉｏｄ）になりえて、第２のタイマ４１２はロングタームオーバーヘッドピリョッド（ＬｏｎｇＴｅｒｍＯｖｅｒｈｅａｄＰｅｒｉｏｄ）になりえる。さらに、第１のキャッシュ４１６はショートタームオーバーヘッドキャッシュ（ＳｈｏｒｔＴｅｒｍＯｖｅｒｈｅａｄＣａｃｈｅ）になりえる。また、第２のキャッシュ４１８はロングタームオーバーヘッドキャッシュ（ＬｏｎｇＴｅｒｍＯｖｅｒｈｅａｄＣａｃｈｅ）になりえる。
【００４５】
アイドルハンドオフの状態に基づいてキャッシュ４１６と４１８のどちらを使用するか（例えば、装置４０２がアイドルハンドオフを実行したかどうか）を決定することができる。アイドルハンドオフについて、装置４０２は第１のキャッシュ４１６を検査することができ、そのキャッシュ４１６にエントリーがある場合、装置４０２はオーバーヘッドパラメータアップツーデータ（ＯｖｅｒｈｅａｄＰａｒａｍｅｔｅｒｓＵｐＴｏＤａｔｅ）を「０」にセットしない。このように、装置４０２は、Ｔ１秒の間キャッシュに入れられたオーバーヘッド情報を維持することができ、提供される装置４０２はアイドルハンドオフを実行せず、Ｔ２秒の間アイドルハンドオフを実行しない、ここで、Ｔ１＞Ｔ２である。
【００４６】
メモリ４２０は、装置４０２の外側にあることができる、あるいは装置４０２内に存在することができ、アイドルハンドオフが実行されているかいないかの関数として第１のキャッシュおよび第２のキャッシュにおいてオーバーヘッド情報を保存することとに関係する情報を格納することができる。メモリ４２０は、さらに、通信ネットワークにおいて送受信された信号と関係する他の適切な情報を格納することができる。プロセッサ４２２は、オーバーヘッドメッセージの格納のために変化する有効期間と関係する情報の分析を促進するために装置４０２（またはメモリ４２０）に効果的に接続することができる。プロセッサ４２２は、装置４０２によって受信された情報を分析しかつ／または生成するのに専用のプロセッサ、システム４００の１つ以上のコンポーネントをコントロールするプロセッサ、および／または装置４０２による受信された情報を分析および生成の両方を行い、そして、システム４００の１つ以上のコンポーネントをコントロールするプロセッサになりえる。
【００４７】
上記に示され、記述された典型的なシステムを考慮して、方法論は、開示された主題に従ってインプリメントされ、次のフローチャートを参照してさらによく評価されるだろう。説明の単純化の目的のために、方法論が一連のブロックとして示され、説明される一方、いくつかのブロックが異なる順番で、および／またはここで示され記載された他のブロックと実質的に同じ時に生じるように、請求された主題がブロックの数や順番によって限定されていないことが理解され認識されるべきである。さらに、すべての例示されたブロックはここに記述された方法論をインプリメントするために要求され得るとはいえない。ブロックに関連した機能性が、ソフトウェア、ハードウェア、それの組合せあるいは他の適切な手段（例えば装置、システム、プロセス、コンポーネント）によってインプリメントされ得ることが認識されるべきである。さらに、製品上に様々な装置にそのような方法論を輸送し転送することを促進するために、以下にこの明細書の全体にわたって示された方法論が格納されることができることは、さらに認識されるべきである。当業者は、方法論が、状態図におけるように一連の相互関係のある状態あるいは出来事として代わりに表されることができることを理解し認識するだろう。
【００４８】
図５は、態様に従ってオーバーヘッドメッセージを格納するために変化する有効期間を利用する方法５００を例示する。方法５００は、デバイスがアイドルハンドオフを実行していない場合に、オーバーヘッドメッセージを格納するための第１のタイマを、およびデバイスがアイドルハンドオフを実行している場合に、オーバーヘッドメッセージを格納するための第２のタイマを使用するように構成される。さらに、第１のキャッシュは第１のタイマに関係することができ、また、第２のキャッシュは第２のタイマに関係することができる。
【００４９】
装置がアイドル状態にある場合、方法５００は５０２から開始する。アイドルの状態において、装置はアイドルハンドオフを実行する。５０４で、アイドルハンドオフが検知されるかどうかの決定がなされる。いくつかの態様に従って、この決定はハンドオフが装置によって実行されているかどうかの評価に基づいてなされることができる。例えば、装置が第一セクタ上にあり、「休眠」モードに入って、また、「覚醒する」状態で装置が異なるＰＮの上にあった場合、それは、装置が動いていることを示す。しかしながら、「覚醒」状態で、装置が同じＰＮの上にあった場合、それは装置が固定されているかもしれない（あるいはホーム、オフィスなどでのように同じセクタにおいて利用されている）ことを示し、アイドルハンドオフを実行していない。
【００５０】
アイドルハンドオフが検知される（「ＹＥＳ」）場合、５０６で、第１のタイマは開始される。この第１のタイマは短い間隔を持つことができ、そこにおいて、第１のタイマの未決の間に、ＰＮコードは、５０８で短いタイマキャッシュに保存される。アイドルハンドオフが検知されない（「ＮＯ」）場合、方法５００は５１０で継続し、第２のタイマが開始される。装置が移動しておらず、異なるセクタのためにキャッシュに入れられたＰＮコードを持った別のセクタに最も恐らく遭遇しないので、第２のタイマは長い間隔を有することができる。ＰＮコードは、５１２で、長いキャッシュタイマのキャッシュにおいて保存することができ、それは第２のタイマに関係する。
【００５１】
５１４と５１６で、利用されているそれぞれのタイマが時間切れしたか終了したかの決定はなされる。５１４の決定が、第１のタイマが終了したことである（「ＹＥＳ」）場合、５１８で、終了したオーバーヘッド情報はショートタームキャッシュから取り除かれ、および方法５００は５２０で継続する。５１６の決定が、第２のタイマが５２２で、終了したということである（「ＹＥＳ」）場合、終了したオーバーヘッド情報は長期的なキャッシュから取り除かれる。情報の部分集合がロングタームおよび／またはショートタームキャッシュから取り除かれるのと実質同時に、より新しい他の情報はキャッシュにおいて保存されることができる。５１４または５１６での決定が、それぞれのタイマがしなかったということである場合、タイムアウトしなかった（「ＮＯ」）、あるいは、その後吐き出された情報がそれぞれのキャッシュから取り除かれたということである場合、装置がアクティブ状態にあっても、５２０で、決定はなされる。装置が今、アクティブ状態（「ＹＥＳ」）にある場合、５２４で、長期的なキャッシュおよび短期キャッシュ中で保存されたオーバーヘッド情報は除去される。
【００５２】
装置がアクティブ状態にない（「ＮＯ」）場合、方法５００は移、動が検知されるかどうか判断するために５０４で継続することができる。デバイスの動きである変更がある（例えば、装置は固定であって、今、移動している、装置は移動していて、今、固定である）場合に、方法５００は、時間、およびオーバーヘッド情報のために利用されるキャッシュをダイナミックに変更することができる。
【００５３】
図６を参照して、示された態様の１つ以上に従ってオーバーヘッド情報をキャッシュに入れるための可変時間を促進するシステム６００が例示される。システム６００は、ユーザ装置において存在することができる。システム６００は、例えば受信機アンテナから信号を受信することができる受信機６０２を備える。受信機６０２は、受信号を増幅、濾波、下降変換などをするように、そこにおいて典型的な動作を実行することができる。受信機６０２は、さらにサンプルを取得するために条件つきの信号をディジタル化することができる。復調器６０４は、プロセッサ６０６に受信されたシンボルを供給することができると同様に各シンボル期間のために受信された記号を取得することができる。
【００５４】
プロセッサ６０６は、受信機コンポーネント６０２による受信された情報を分析することおよび／または送信器６０８による送信のための情報を生成することに専用のプロセッサになりえる。さらに、あるいは代わりに、プロセッサ６０６は、ユーザ装置６００の１つ以上のコンポーネントをコントロールすることができ、受信機６０２によって受信された情報を分析し、送信機６０８によって送信のための情報を生成し、および／または、ユーザ装置６００の１つ以上のコンポーネントをコントロールする。プロセッサ６０６は、追加のユーザ装置との通信を調整することができるコントローラコンポーネントを含み得る。
【００５５】
ユーザ装置６００は、プロセッサ６０６に効果的に接続されたメモリ６０８をさらに備えることができ、また、それは、通信を調整することと関係する情報および任意の他の適切な情報を格納することができる。メモリ６１０は、装置の移動の関数として選択された可変のタイマとキャッシュに関連したプロトコルをさらに格納することができる。ユーザ装置６００は、さらに記号モジュレータ６１２、および変調された信号を送信する送信器６０８を備えることができる。
【００５６】
受信機６０２は、さらに短時間間隔の間オーバーヘッド情報を保存するように構成される短期間のキャッシュ６１４に効果的に接続される。時間間隔の終了に際して、オーバーヘッド情報はキャッシュから取り除かれる。アイドルハンドオフが行なわれている場合、短期間のキャッシュ６１４は利用することができる。さらに、長期間の間隔のためのオーバーヘッド情報を保存するように構成される長期キャッシュ６１６が含まれている。時間間隔の終了に際して、オーバーヘッド情報はキャッシュから取り除かれる。アイドルハンドオフが実行されていない場合、長期間のキャッシュ６１６は利用されることができる。ユーザ装置６００が、アイドルモードにある間、オーバーヘッド情報はキャッシュ６１４および６１６に保存される。
【００５７】
図７を参照すると、アイドルハンドオフが実行されているかどうかの関数として、キャッシュタイマを動的に調節する例のシステム７００が例示されている。システム７００は、態様に従って、フェムトセルを利用する環境内に利用されることができる。システム７００は、モバイル装置内に少なくとも部分的に存在し得る。システム７００が、機能的ブロックを含むように表され、それらは、プロセッサ、ソフトウェア、あるいはそれらの組合せ（例えばファームウェア）によってインプリメントされた機能を表わす機能的ブロックであり得る。
【００５８】
システム７００は、別々にあるいは一緒に動作することができる電気コンポーネントの論理的なグルーピング７０２を含む。アイドル状態にいる間、論理のグルーピング７０２は、アイドルハンドオフ機能（例えば、実行されていないアイドルハンドオフであり、実行されたアイドルハンドオフである）の決定のために電気コンポーネント７０４を含み得る。さらに、確認されたアイドルハンドオフの機能の機能として第１のキャッシュあるいは第のキャッシュを選択するための電気コンポーネントが含まれる。いくつかの態様に従って、第１のタイマは、第２のタイマより短い持続期間を有している。
【００５９】
いくつかの態様に従って、第１のタイマはショートタームのオーバーヘッドピリョッド（Ｓｈｏｒｔ  Ｔｅｒｍ  Ｏｖｅｒｈｅａｄ  Ｐｅｒｉｏｄ）になり得て、また、第１のキャッシュはショートタームオーバーヘッドキャッシュ（Ｓｈｏｒｔ  Ｔｅｒｍ  Ｏｖｅｒｈｅａｄ  Ｃａｃｈｅ）キャッシュである。装置がアイドルのハンドオフを実行している場合、第１のキャッシュが選択される。他の態様に従って、装置がアイドルのハンドオフを実行していない場合、第２のキャッシュは選択され、そこでは第２のタイマはロングタームオーバーヘッドキャッシュピリョッド（Ｌｏｍｇ  Ｔｅｒｍ  Ｏｖｅｒｈｅａｄ  Ｃａｃｈｅ  Ｐｅｒｉｏｄ）であり、また、第２のキャッシュはロングタームオーバーヘッドキャッシュ（Ｌｏｎｇ  Ｔｅｒｍ  Ｏｖｅｒｈｅａｄ  Ｃａｃｈｅ）である。
【００６０】
さらに、論理のグルーピング７０２は、選択されたキャッシュに対応するタイマの未決の間に選択されたキャッシュにおいてオーバーヘッド情報を格納するための電気コンポーネント７０８を含む。さらに、格納されたオーバーヘッド情報に関連した基地局へ接続するために格納されたオーバーヘッド情報を利用するための電気コンポーネント７１０が含
まれ得る。
【００６１】
いくつかの態様によれば、移動を決定するための電気コンポーネント７０４は、さらに、クィックコンフィグ（ＱｕｉｃｋＣｏｎｆｉｇ）メッセージにおけるセクタシグニチャ（ＳｅｃｔｏｒＳｉｇｎａｔｕｒｅ）フィールドの値が、クィックコンフィグ（ＱｕｉｃｋＣｏｎｆｉｇ）メッセージが受信され、装置が静止しているセクタに関係するセクタシグニチャ（ＳｅｃｔｏｒＳｉｇｎａｔｕｒｅ）の最後の受信された値と異なる。
【００６２】
いくつかの態様に従って、第１のキャッシュは、ショートタームキャッシュ（Ｓｈｏｒｔ  Ｔｅｒｍ  Ｏｖｅｒｈｅａｄ  Ｃａｃｈｅ）であり、また、第２のキャッシュはロングタームオーバーヘッドキャッシュ（Ｌｏｎｇ  Ｔｅｒｍ  Ｏｖｅｒｈｅａｄ  Ｃａｃｈｅ）である。論理的なグルーピング７０２は、アイドル状態（ＩｄｌｅＳｔａｔｅ）の場合に、内容からロングタームオーバーヘッドキャッシュ（Ｌｏｎｇ  Ｔｅｒｍ  Ｏｖｅｒｈｅａｄ  Ｃａｃｈｅ）およびショートタームオーバーヘッドキャッシュ（Ｓｈｏｒｔ  Ｔｅｒｍ  Ｏｖｅｒｈｅａｄ  Ｃａｃｈｅ）を除去するための電気コンポーネント７１２を含むことができる。コネクションオープンド（ＣｏｎｎｅｃｔｉｏｎＯｐｅｎｅｄ）の表示が受け取られる。
【００６３】
さらに、システム７００は、電気コンポーネント７０４、７０６、７０８、７１０および７１２、他のコンポーネントに関連する実行の機能のための命令を保存するメモリ７１４を含むことができる。メモリ７１４の外側にあるように示されたが、電気コンポーネント７０４、７０６、７０８、７１０および７１２の１つ以上が、メモリ７１４内に存在し得ることが理解されるべきである。
【００６４】
今図８を参照して、１つ以上の態様に従って、多元接続無線通信システム８００は例示される。無線通信システム８００は、１台以上のユーザ装置に接する１つ以上の基地局を含むことができる。基地局は、それぞれ複数のセクタに報道を供給する。１つのグループはアンテナ８０４と８０６を含み、別のグループは８０８、８１０を含み、第３のグループはアンテナ８１２と８１４を含む、多数のアンテナグループ、を含んでいる３セクタ基地局８０２は例示される。図に従うと、２本のアンテナだけが、各アンテナグループのために示され、しかし、より多くあるいはより少数のアンテナが各アンテナグループのために利用され得る。モバイル装置８１６は、アンテナ８１２および８１４との通信状態にあり、そこで、アンテナ８１２と８１４は、フォワードリンク８１８を通してモバイルデバイス８１６へ情報を送信し、またリバースリンク８２０を通してモバイルデバイス８１６から情報を受信する。フォワードリンク（つまりダウンリンク）は基地局からモバイルデバイスまでの通信リンクを指す。また、リバースリンク（つまりアップリンク）はモバイルデバイスから基地局への通信リンクを指す。モバイルデバイス８２２は、アンテナ８０４および８０６との通信中であり、そしてアンテナ８０４と８０６は、フォワード悋気８２４を通してモバイルデバイスに情報を送信し、リバースリンク８２６を通してモバイルデバイスから情報を受信する。ＦＤＤシステムにおいて、例えば、通信リンク８１８、８２０、８２４および８２６は、通信用の異なる周波数を利用するかもしれない。例えば、フォワードリンク８１８はリバースリンク８２０によって利用された周波数とは異なっている周波数を使用するかもしれない。
【００６５】
アンテナの各グループおよび／またはアンテナが通信するよう指示された地域は、基地局８０２のセクタと呼ばれ得る。１つ以上の態様において、アンテナグループは、各々、基地局８０２によってカバーされたセクタまたはその地域のモバイルデバイスと通信するよう設計されている。基地局は端末と通信するために使用された固定局であり得る。
【００６６】
フォワードリンク８１８および８２４を通じる通信において、基地局８０２の送信アンテナは異なるモバイルデバイス８１６および８２２のためのフォワードリンクのＳＮ比を改善するためにビームフォーミングを利用することができる。さらに、その有効範囲を通ってランダムに散在したモバイルデバイスに送信するためにビームフォーミングを利用する基地局は、その有効範囲のすべてのモバイルデバイスに単一のアンテナを通して送信する基地局によって引き起こされることができる干渉より近隣のセルのモバイルデバイスへ干渉をより少なく引き起こすかもしれない。
【００６７】
ここに記載された態様がハードウェア、ソフトウェア、ファームウェアあるいはそれの任意の組合せによってインプリメントされ得ることは理解されるべきである。機能は、ソフトウェアの中でインプリメントされた時、コンピュータ読み出し可能媒体についての１つ以上の命令あるいはコードとして格納されるか、あるいは送信され得る。コンピュータ読み出し可能な媒体は、ある場所から他の場所へコンピュータプログラムの転送を促進する任の媒体を含むコンピュータ記憶媒体および通信媒体の両方を含む。記憶媒体は、汎用目的あるいは特定目的のコンピュータによってアクセスされることができる任意の利用可能な媒体であり得る。限定ではなく例によって、そのようなコンピュータが読み出し可能な媒体は、ＲＡＭ、ＲＯＭ、ＥＥＰＲＯＭ、ＣＤ−ＲＯＭ、または他の光学ディスク記憶装置、磁気ディスク記憶装置、他の磁気記憶装置、あるいは命令またはデータ構造の形式で希望のプログラムコード手段を運び記憶するために使用され、また、汎用目的あるいは特定目的のコンピュータ、あるいは汎用目的のプロセッサあるいは特定目的のコンピュータによってアクセスされる任意の他の媒体を含むことができる。さらに、どんな接続もたぶんコンピュータ読み出し可能媒体と名付けられる。例えば、同軸ケーブル、光ファイバーケーブル、ツイステッドペア、ディジタル加入者線（ＤＳＬ）あるいは赤外線、ラジオおよびマイクロ波のような無線技術を使用して、ソフトウェアがウェブサイト、サーバーあるいは他の遠隔のソースから送信される場合、同軸ケーブル、光ファイバーケーブル、ツイステッドペア、ＤＳＬ、あるいは赤外線、ラジオおよびマイクロ波のような無線技術は、媒体の定義に含まれる。ここで使用されるようなディスク（ｄｉｓｋ）とディスク（ｄｉｓｃ）は、ディスク（ｄｉｓｋ）が一般的にデータを磁気的に再生する一方ディスク（ｄｉｓｃ）はレーザーでデータを光学上で再生するコンパクトディスク（ｃｏｍｐａｃｔ  ｄｉｓｃ：ＣＤ）、レーザーディスク（登録商標）、光ディスク、ディジタル・バーサタイル・ディスク（ｄｉｇｉｔａｌ  ｖｅｒｓａｔｉｌｅ  ｄｉｓｃ：ＤＶＤ）、フロッピー（登録商標）ディスク、およびブルーレイディスクを含む。上記のものの組合せもコンピュータが読み出し可能な媒体の範囲内に含まれるべきである。
【００６８】
ここで開示された態様と関係して記載された、さまざまな実例となる論理、論理ブロック、モジュール、および回路は、汎用プロセッサ、ディジタル信号プロセッサ（ｄｉｇｉｔａｌ  ｓｉｇｎａｌ  ｐｒｏｃｅｓｓｏｒ：ＤＳＰ）、特定用途向けＩＣ（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ（ｆｉｅｌｄ  ｐｒｏｇｒａｍｍａｂｌｅ  ｇａｔｅ  ａｒｒａｙ：ＦＰＧＡ）あるいは他のプログラマブルロジックデバイス、個別のゲートあるいはトランジスタのロジック、個別のハードウェアコンポーネント、あるいは、ここで記載された機能を実行するよう設計されたそれらの組み合わせでインプリメントされ、あるいは実行され得る。汎用プロセッサは、マイクロプロセッサであり得るが、しかし、代わりに、プロセッサは任意の従来のプロセッサ、コントローラ、マイクロコントローラ、あるいはステートマシンであり得る。プロセッサは、さらに、コンピューティング装置の組み合わせ、例えばＤＳＰとマイクロプロセッサの組合せ、複数個のマイクロプロセッサ、ＤＳＰコアと協力する１個以上のマイクロプロセッサ、あるいは他のそのような構成としてインプリメントされてもよい。さらに、少なくとも１台のプロセッサは、上記に記載されたステップおよび／または動作の１つ以上を実行するのに操作可能な１つ以上のモジュールを含み得る。
【００６９】
ソフトウェアインプリメンテーションについては、ここに記載された技術は、ここに記述された機能を実行するモジュール（例えば、手順、機能など）でインプリメントされ得る。ソフトウェアコードは、記憶装置に格納され、プロセッサによって実行され得る。記憶装置は、プロセッサ内あるいは外部でインプリメントされ得て、そこで、技術において知られているように、それは、さまざまな手段を通してプロセッサ通信的に接続されることができる。さらに、少なくとも１台のプロセッサは、ここに記載された機能を実行するのに操作可能な１つ以上のモジュールを含み得る。
【００７０】
ここに記述された技術は、ＣＤＭＡ、ＴＤＭＡ、ＦＤＭＡ、ＯＦＤＭＡ、ＳＣ−ＦＤＭＡおよび他のシステムのようなさまざまな無線通信システムに使用され得る。「システム」および「ネットワーク」の用語はしばしば交換可能に使用される。ＣＤＭＡシステムは、ユニバーサル地上ラジオアクセス（Ｕｎｉｖｅｒｓａｌ  Ｔｅｒｒｅｓｔｒｉａｌ  Ｒａｄｉｏ  Ａｃｃｅｓｓ：ＵＴＲＡ）、ＣＤＭＡ２０００などのようなラジオ技術をインプリメントしてもよい。ＵＴＲＡは、ＣＤＭＡの広帯域−ＣＤＭＡ（Ｗ−ＣＣＤＭＡ）および他の変形を含む。さらに、ＣＤＭＡ２０００は、ＩＳ−２０００、ＩＳ−９５、およびＩＳ−８５６標準をカバーする。ＴＤＭＡシステムは、モバイル通信のためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ：ＧＳＭ（登録商標））のようなラジオ技術をインプリメントし得る。ＯＦＤＭＡシステムは、さらに、発展したＵＴＲＡ（Ｅｖｏｌｖｅｄ−ＵＴＲＡ：Ｅ−ＵＴＲＡ）、ウルトラモバイルブロードバンド（Ｕｌｔｒａ  Ｍｏｂｉｌｅ  Ｂｒｏａｄｂａｎｄ：ＵＭＢ）、ＩＥＥＥ（Ｗｉ−Ｆｉ）８０２．１１、ＩＥＥＥ８０２．１６（ＷｉＭＡＸ）、ＩＥＥＥ８０２．２０、フラッシュＯＦＤＭなどのようなラジオ技術をインプリメントし得る。ＵＴＲＡおよびＥ−ＵＴＲＡは、ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）の一部である。３ＧＰＰのロングタームエボリューション（Ｌｏｎｇ  Ｔｅｒｍ  Ｅｖｏｌｕｔｉｏｎ：ＬＴＥ）は、Ｅ−ＵＴＲＡを使用するＵＭＴＳのリリースであり、それは、のダウンリンク上のＯＦＤＭＡおよびアップリンク上のＯＦＤＭＡを使用する。ＵＴＲＡ、Ｅ−ＵＴＲＡ、ＵＭＴＳ、ＬＴＥおよびＧＳＭ（登録商標）は、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ３ＧＰＰ）という名の組織からの文献に記載されている。さらに、ＣＤＭＡ２０００とＵＭＢは、「第３世代パートナーシッププロジェクト２」（３ｒｄ  Ｇｅｎｅｒａｔｉｏｎ  Ｐａｒｔｎｅｒｓｈｉｐ  Ｐｒｏｊｅｃｔ２：３ＧＰＰ２）という名の組織からの文献に記載されている。さらに、そのような無線通信システムは、さらに、対がない無免許の周波数域、８０２．ｘｘ無線ＬＡＮ、ＢＬＵＥＴＯＯＴＨ（登録商標）、および任意の他のショートレンジあるいはロングレンジ、無線通信技術をしばしば使用して、ピア・ツー・ピア（例えばモバイル対モバイル）アドホックネットワークシステムを含む。
【００７１】
単一のキャリア変調および周波数領域等化を利用するシングルキャリア周波数分割多元接続（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ：ＳＣ−ＦＤＭＡ）は、開示された態様で利用されることができる技術である。ＳＣ−ＦＤＭＡはＯＦＤＭＡシステムと同様の性能および本質的に同様の全面的な複雑さを有している。ＳＣ−ＦＤＭＡ信号は、その固有の単一のキャリア構造のために、より低いピーク対平均パワーの比率（ｐｅａｋ−ｔｏ−ａｖｅｒａｇｅ  ｐｏｗｅｒ  ｒａｔｉｏ：ＰＡＰＲ）を有している。ＳＣ−ＦＤＭＡは、より低いＰＡＰＲが送信パワー効率の点からモバイル端末に役立つことができるアップリンク通信において利用されることができる。
【００７２】
さらに、ここに記載されたさまざまな態様または特徴は、プログラムおよび／またはエンジニアリング技術を使用する方法、装置、あるいは製品としてインプリメントされ得る。ここに使用されるような用語「製品」は、任意のコンピュータ読み出し可能な装置、キャリア、媒体からアクセス可能なコンピュータプログラムを包含するように意図される。例えば、コンピュータ読み出し可能な媒体は、磁気記憶装置（例えばハードディスク、フロッピー（登録商標）ディスク、磁気ストリップなど）、光ディスク（例えばコンパクトディスク（ＣＤ）、ディジタルバーサタイルディスク（ＤＶＤ）など）、スマートカード、およびフラッシュメモリデバイス（例えば、ＥＰＲＯＭ、カード、スティック、キードライブなど）を含むことはできるがそれらに限定されない。さらに、ここに記述されたさまざまな記憶媒体は、情報の格納のために１つ以上のデバイス、および／または他の機械読み出し可能な媒体を表わすことができる。用語「機械読み出し可能な媒体」は、無線チャネル、および命令および／またはデータを格納し、含み、運ぶことが可能なさまざまな他の媒体に限定されずにそれらを含むことができる。さらに、コンピュータプログラム製品は、コンピュータに、ここに記載された機能を実行させるのに操作可能な１つ以上の命令あるいはコードを有するコンピュータ読み出し可能な媒体を含み得る。
【００７３】
さらに、ここに開示された態様に関して記述された方法あるいはアルゴリズムのステップおよび／または動作は、ハードウェアにおいて直接にプロセッサによって実行されるソフトウェアモジュールにおいて、あるいは、その２つの組合せで具体化され得る。ソフトウェアモジュールは、ＲＡＭメモリ、フラッシュメモリー、ＲＯＭメモリ、ＥＰＲＯＭメモリ、ＥＥＰＲＯＭメモリ、レジスタ、ハードディスク、取外し可能ディスク、ＣＤ−ＲＯＭ、当該技術において知られている他の形式の記憶媒体に存在し得る。典型的な記憶媒体は、プロセッサが、情報を記憶媒体から読み出し、および情報を書き込むことができるように、プロセッサに接続され得る。代わりに、記憶媒体は、プロセッサに対して必須であり得る。さらに、いくつかの態様では、プロセッサと記憶媒体はＡＳＩＣに存在し得る。さらに、ＡＳＩＣはユーザ端末に存在し得る。代わりに、プロセッサと記憶媒体は、ユーザ端末の個別部品として存在し得る。さらに、いくつかの態様中において方法またはアルゴリズムのステップおよび／または動作は、機械読み出し可能な記憶媒体および／またはコンピュータ読み出し可能な媒体上のコード及び命令の1つあるいは任意の組合せあるいはセットとして存在し得、そして、それはコンピュータプログラム製品に組み入れられ得る。
【００７４】
先の開示が、実例となる態様および／または態様について議論している間に、記載された態様および／または添付された請求項によって定義されるような態様の範囲から外れずに、さまざまな変更および修正がここで行われたことができるかことは注目されるべきである。従って、記載された態様は、添付された請求項の範囲以内にあるような変更、修正および変化をすべて包含するように意図される。更に、記述された態様のエレメントおよび／または態様は、単数で記載され、あるいは請求され得るが、単数への限定が明示的に述べられない限り、複数は考慮される。さらに、他の方法で述べられない限り、任意の態様および／または態様の全てまたは一部は、任意の他の態様および／または態様の全てまたは一部で利用され得る。
【００７５】
用語「含む（ｉｎｃｌｕｄｅ）」が、詳細な説明あるいは請求項のいずれかにおいて使用される限り、そのような用語は、請求項において過渡期の言葉として使用されるとき「備える（ｃｏｍｐｒｉｓｉｎｇ」が解釈されるように用語「備える」に類似のやり方で包括的になるように意図される。更に、詳細な説明また請求項のいずれかで使用される用語「あるいは（ｏｒ）」は排他的な「あるいは」よりむしろ包括的な「あるいは」意味するように意図される。すなわち、他の方法で特定されない、または、内容から明瞭でない限り、フレーズ「ＸはＡまたはＢを使用する」は自然な包括的な交換のうちのどれでも意味するように意図される。すなわち、フレーズ「ＸはＡあるいはＢを使用する」は次の事例のうちのどれによっても満たされる。ＸはＡを使用する；ＸはＢを使用する；あるいは、ＸはＡとＢの両方を使用する。さらに、本出願および添付された請求項において使用され冠詞の「１つの（ａ）」及び「１つの（ａｎ）」は、他の方法で特定されないあるいは単数の形式を指示される内容から明らかでない限り、一般的に「１つ」以上を意味するように解釈されるべきである。
以下に本件出願当初の特許請求の範囲に記載された発明を付記する。
［１］通信ネットワークにおいてオーバーヘッドメッセージを格納するための通信デバイスによって実行される方法であって、
通信デバイスが不使用のハンドオフを実行するか不使用のハンドオフを実行していないかを決定すること、
その決定に基づいて第１のタイマあるいは第２のタイマを始動することであって、各タイマは異なる継続時間を有する、始動すること、
少なくとも２つのキャッシュのうちの１つにオーバーヘッド情報を格納すること、
および第１のタイマあるいは第２のタイマの終了時の少なくとも１つのキャッシュにおいて保存されたオーバーヘッド情報の少なくとも１つの部分集合を廃棄すること
を備える方法。
［２］通信デバイスは動作中である場合に不使用のハンドオフを実行しており、通信デバイスが静止しているあるいはセクタの有効範囲とともに移動している場合不使用のハンドオフを実行しない［１］の方法。
［３］不使用のハンドオフが実行されている場合には第１のキャッシュを、不使用のハンドオフが実行されない場合には、第２のキャッシュを選択することを備え、第１のキャッシュは第１のタイマと関係し、第２のキャッシュは第２のタイマと関係する［１］の方法。
［４］第１のタイマは第２のタイマより短い継続期間を持つ［３］の方法。
［５］第１のタイマは、ショートタームオーバーヘッドピリョッド（Ｓｈｏｒｔ  Ｔｅｒｍ  Ｏｖｅｒｈｅａｄ  Ｐｅｒｉｏｄ）であり、第１のキャッシュがショートタームオーバーヘッドキャッシュピリョッド（Ｓｈｏｒｔ  Ｔｅｒｍ  Ｏｖｅｒｈｅａｄ  Ｃａｃｈｅ  Ｐｅｒｉｏｄ）である［３］の方法。
［６］第２のタイマはロングタームオーバーヘッドキャッシュピリョッド（Ｌｏｎｇ  Ｔｅｒｍ  Ｏｖｅｒｈｅａｄ  Ｃａｃｈｅ  Ｐｅｒｉｏｄ）であり、第２のキャッシュは、ロングタームオーバーヘッドキャッシュ（Ｌｏｎｇ  Ｔｅｒｍ  Ｏｖｅｒｈｅａｄ  Ｃａｃｈｅ）である［３］の方法。
［７］通信デバイスがアクティブ状態に入ったことを検知すること、
および１つのキャッシュにおいて保存されたオーバーヘッド情報を除去すること
備える［１］の方法。
［８］通信デバイスが不使用のハンドオフを実行するか不使用のハンドオフを実行しないかを決定することは、
クィックコンフィグ（ＱｕｉｃｋＣｏｎｆｉｇ）メッセージにおけるセクタシグニチャ（ＳｅｃｔｏｒＳｉｇｎａｔｕｒｅ）フィールドの値が、クィックコンフィグ（ＱｕｉｃｋＣｏｎｆｉｇ）メッセージが受信されるセクタと関係するセクタシグニチャ（ＳｅｃｔｏｒＳｉｇｎａｔｕｒｅ）に対する最後に受信された値とは異なると確認すること、
および、デバイスが不使用のハンドオフを実行していないことを決定すること
を備える［１］の方法。
［９］通信デバイスが不使用のハンドオフを実行しないことから不使用のハンドオフを実行することに切り替わったことを検知すること、
および通信デバイスが、不使用のモードにある場合、第２のタイマから第１のタイマに自動的に切り換えること
を備える［１］の方法。
［１０］通信デバイスは不使用のハンドオフを実行することから不使用のハンドオフを実行することに切り替わったことを検知すること、
および通信デバイスが、不使用のモードにある場合、第１のタイマから第２のタイマへ自動的に切り換えること
を含む［１］方法。
［１１］通信ネットワークは、フェムトセルの配置を備える［１］の方法。
［１２］不使用の状態にいる間、装置の不使用のハンドオフの性能を確認すること、
不使用のハンドオフの性能の関数として第１のタイマあるいは第２のタイマを始動すること、
始動されたタイマの未終了の間にオーバーヘッド情報を格納すること、
格納されたオーバーヘッド情報に関連した基地局へ接続するために格納されたオーバーヘッド情報を利用すること
と関係する命令を保存するメモリと、
およびメモリにおいて保存された命令を実行するように構成されたメモリにつながれたプロセッサ
を備える無線通信装置。
［１３］前記メモリは、始動されたタイマの終了の際に格納されたオーバーヘッド情報の部分集合を削除することと関係する命令をさらに保存する［１２］の無線通信装置。
［１４］不使用のハンドオフが実行されている場合に、第１のキャッシュが選択され、その第１のキャッシュは短い未終了を有する第１のタイマに関係する［１２］の無線通信装置。
［１５］無線通信装置が不使用のハンドオフを実行していない場合に、第２のキャッシュが選択され、第２のキャッシュは、長い未終了を有する第２のタイマに関係する［１２］の無線通信装置。
［１６］選択的にオーバーヘッド情報を保存する無線通信装置であって、
不使用の状態にいる間、無線通信装置の不使用のハンドオフ機能を確認するための手段、
確認された不使用のハンドオフ機能の関数として第１のタイマあるいは第２のタイマを始動するための手段、
第１のタイマあるいは第２のタイマ未終了の間にオーバーヘッド情報を格納するための手段、
および格納されたオーバーヘッド情報に関連する基地局へ接続するために格納されたオーバーヘッド情報を利用するための手段
を備える無線通信装置。
［１７］第１のタイマは第１のキャッシュに相当し、第２のキャッシュに相当する第２のタイマより短い持続期間を有する［１６］の無線通信装置。
［１８］第１のタイマは、ショートタームオーバーヘッドピリョッド（Ｓｈｏｒｔ  Ｔｅｒｍ  Ｏｖｅｒｈｅａｄ  Ｐｅｒｉｏｄ）であり、第１のキャッシュがショートタームオーバーヘッドキャッシュ（Ｓｈｏｒｔ  Ｔｅｒｍ  Ｏｖｅｒｈｅａｄ  Ｃａｃｈｅ）である［１７］の無線通信装置。
［１９］第２のタイマはロングタームオーバーヘッドキャッシュピリョッド（Ｌｏｎｇ  Ｔｅｒｍ  Ｏｖｅｒｈｅａｄ  Ｃａｃｈｅ  Ｐｅｒｉｏｄ）であり、第２のキャッシュがロングタームオーバーヘッドキャッシュ（Ｌｏｎｇ  Ｔｅｒｍ  Ｏｖｅｒｈｅａｄ  Ｃａｃｈｅ）である［１７］の無線通信装置。
［２０］第１のタイマは、ロングタームオーバーヘッドキャッシュ（Ｌｏｎｇ  Ｔｅｒｍ  Ｏｖｅｒｈｅａｄ  Ｃａｃｈｅ）に関係し、第２のタイマは、ショートタームオーバーヘッドキャッシュ（Ｓｈｏｒｔ  Ｔｅｒｍ  Ｏｖｅｒｈｅａｄ  Ｃａｃｈｅ）に関係し、装置は、さらに、アイドルステートコネクションオープンド（ＩｄｌｅＳｔａｔｅ．ＣｏｎｎｅｃｔｉｏｎＯｐｅｎｅｄ）表示が受信される場合に、ロングタームオーバーヘッドキャッシュ（Ｌｏｎｇ  Ｔｅｒｍ  Ｏｖｅｒｈｅａｄ  Ｃａｃｈｅ）およびショートタームオーバーヘッドキャッシュ（Ｓｈｏｒｔ  Ｔｅｒｍ  Ｏｖｅｒｈｅａｄ  Ｃａｃｈｅ）を取り除くための手段をさらに含む［１７］の無線通信装置。
［２１］不使用の状態にある間に無線通信装置の不使用のハンドオフ機能を確認するための前記手段は、さらに、クィックコンフィグ（ＱｕｉｃｋＣｏｎｆｉｇ）メッセージにおけるセクタシグニチャ（ＳｅｃｔｏｒＳｉｇｎａｔｕｒｅ）フィールドの値が、クィックコンフィグ（ＱｕｉｃｋＣｏｎｆｉｇ）メッセージが受信されたセクタに関係するセクタシグニチャ（ＳｅｃｔｏｒＳｉｇｎａｔｕｒｅ）に対する最後に受信された値を確認し、また無線通信が不使用のハンドオフを実行していないことを決定する［１６］の無線通信装置。
［２２］不使用のモードにいる間通信デバイスが不使用のハンドオフを導入しているかどうかコンピュータに決定させるための第１の組のコード、
決定の機能として第１のタイマあるいは第２のタイマをコンピュータに活性化させるための第２の組のコードであって、各タイマ異なる継続時間を有し、また、対応付する第１のキャッシュあるいは第２のキャッシュに関係する、第２の組のコード、
対応する第１のキャッシュあるいは第２のキャッシュにおいてオーバーヘッド情報をコンピュータに格納させるための第３の組のコード、
および対応する第１のタイマあるいは第２のタイマの終了の際に第１のキャッシュあるいは第２のキャッシュにおいて保存されたオーバーヘッド情報の少なくとも１つの部分集合をコンピュータに取り除かせるための第４の組のコード
を備えるコンピュータ読み出し可能な媒体を備えたコンピュータプログラム製品。
［２３］不使用のハンドオフを導入しないことから不使用のハンドオフを導入することへコンピュータに切り替えさせることをコンピュータに検知させるための第５の組のコード、
およびまだ不使用のモード中である場合に第２のタイマから第１のタイマへコンピュータに自動的に切り替えさせるための第５の組のコード
を備える［２２］のコンピュータプログラム製品。
［２４］不使用のハンドオフを導入することから不使用のハンドオフを導入しないことへの切り替えをコンピュータに検知させるための第５の組のコード、
およびまだ不使用のモード中である場合に第１のタイマから第２のタイマへコンピュータに自動的に切り替えさせるための第６の組のコード
を備える［２２］のコンピュータプログラム製品。
［２５］可変タイマの機能としてオーバーヘッド情報を格納するように構成された少なくとも１つのプロセッサは、
不使用の状態にある間不使用のハンドオフが実行されているかどうかを決定するための第１のモジュール、
決定の機能として第１のタイマあるいは第２のタイマを始動するための第２のモジュール、
始動されたタイマの未定の間にオーバーヘッド情報を格納するための第３のモジュール、
および格納されたオーバーヘッド情報に関連した基地局へ接続するために格納されたオーバーヘッド情報を利用するための第４のモジュール。
【図１】
0005536069.tif 000002
【図２】
0005536069.tif 000003
【図３】
0005536069.tif 000004
【図４】
0005536069.tif 000005
【図５】
0005536069.tif 000006
【図６】
0005536069.tif 000007
【図７】
0005536069.tif 000008
【図８】
0005536069.tif 000009